(57)【要約】【課題】緊締操作が極めて容易に行われる靴を提供すること。【解決手段】靴紐６の一端を甲側開口部３Ａに左右蛇行状態に通して甲側開口部３Ａの緊締手段４を構成すると共に、靴紐６の他端を上方側開口部３Ｂに左右蛇行状態に通して上方側開口部３Ｂの緊締手段４を構成し、この甲側開口部３Ａと上方側開口部３Ｂの緊締手段４間に存する前記靴紐６の中間部を引動部11とし、この引動部11を引動状態に保持する緊締保持手段12を備えた靴。【選択図】図３
2011000234.tif 000002
【特許請求の範囲】
【請求項１】
足首部分より高さのある上方覆い部を備えると共に、この上方覆い部から足甲部にかけて開口する前方開口部を備え、この前方開口部の甲側開口部と上方側開口部とに夫々独立した緊締手段を設けた靴において、一本の紐材から成る若しくは複数本の紐材を連結して成る靴紐の一端側を前記甲側開口部に左右蛇行状態に通して甲側開口部の前記緊締手段を構成すると共に、前記靴紐の他端側を前記上方側開口部に左右蛇行状態に通して上方側開口部の前記緊締手段を構成し、この甲側開口部の緊締手段と上方側開口部の緊締手段の間に存する前記靴紐の中間部を引動部として、この引動部を引動することにより甲側開口部の緊締手段と上方側開口部の緊締手段とのいずれか一方若しくは双方を緊締し得るように構成し、この引動部を引動状態に保持して甲側開口部と上方側開口部とのいずれか一方若しくは双方を緊締状態に保持する保持・解除可能な緊締保持手段を備えたことを特徴とする靴。
【請求項２】
足首部分より高さのある上方覆い部を備えると共に、この上方覆い部から足甲部にかけて開口する前方開口部を備え、この前方開口部の甲側開口部と上方側開口部とに夫々独立した緊締手段を設けた靴本体と、この靴本体内に内装するものであって、足首部分より高さのある上方被覆部を備えると共に、少なくともこの上方被覆部に前側開口部を備えたインナー体とから成る靴において、前記インナー体の前記前側開口部の左右両側縁に夫々インナー用紐通し部を設け、一方のインナー用紐通し部に、一本の紐材から成る若しくは複数本の紐材を連結して成る靴紐の一端側を通すと共に、この靴紐の一端側を前記靴本体の前記甲側開口部に左右蛇行状態に通して甲側開口部の前記緊締手段を構成し、他方の前記インナー用紐通し部に前記靴紐の他端側を通すと共に、この靴紐の他端側を前記靴本体の前記上方側開口部に左右蛇行状態に通して上方側開口部の前記緊締手段を構成し、この一方のインナー用紐通し部と他方のインナー用紐通し部の間に存する前記靴紐の中間部を引動部として、この引動部を引動することにより前記インナー体の前側開口部を緊締すると共に、前記靴本体の甲側開口部の緊締手段と上方側開口部の緊締手段とのいずれか一方若しくは双方を緊締し得るように構成し、この引動部を引動状態に保持して前記インナー体の前側開口部を緊締状態に保持すると共に、前記靴本体の甲側開口部と上方側開口部とのいずれか一方若しくは双方を緊締状態に保持する保持・解除可能な緊締保持手段を備えたことを特徴とする靴。
【請求項３】
前記各緊締手段は、前記甲側開口部と前記上方側開口部の左右のいずれか一側縁に紐固定部を設けてこの各紐固定部に前記靴紐の一端と他端を固定し、この各紐固定部に固定した靴紐の中間部側を支持してＵターンさせる第一紐支持部を、甲側開口部と上方側開口部の左右いずれか他側縁に設け、この各第一紐支持部に支持してＵターンさせた靴紐の中間部側を、前記各紐固定部と各第一紐支持部との間に存する靴紐の途中部とクロスしないように支持する第二紐支持部を、前記甲側開口部と前記上方側開口部の左右いずれか一側縁に設けて、この各第二紐支持部に支持した靴紐の中間部側を引動することで甲側開口部及び上方側開口部を緊締し得るように構成したことを特徴とする請求項１，２のいずれか１項に記載の靴。
【請求項４】
前記紐固定部と前記第一紐支持部とは、前記甲側開口部と前記上方側開口部の左右のいずれか一側縁と他側縁とに略水平対向状態にして設け、この甲側開口部と上方側開口部の左右いずれか一側縁の、前記各紐固定部より上方位置若しくは下方位置に前記第二紐支持部を設けて、各第一紐支持部に支持してＵターンさせた前記靴紐の中間部側が、前記各紐固定部と各第一紐支持部との間に存する靴紐の途中部とクロスしないように第二紐支持部に支持される構成としたことを特徴とする請求項３記載の靴。
【請求項５】
前記第一紐支持部と前記第二紐支持部は、滑車を採用したことを特徴とする請求項３，４のいずれか１項に記載の靴。
【請求項６】
前記第一紐支持部に支持してＵターンさせた前記靴紐の中間部側を支持してＵターンさせる前記第二紐支持部を、前記甲側開口部と前記上方側開口部の左右いずれか一側縁に設け、この各第二紐支持部に支持してＵターンさせた靴紐の中間部側を、前記各第一紐支持部と各第二紐支持部との間に存する靴紐の途中部とクロスしないように支持する第三紐支持部を、甲側開口部と上方側開口部の左右いずれか他側縁に設けて、この各第三紐支持部に支持した靴紐の中間部側を引動することで甲側開口部及び上方側開口部を緊締し得るように前記緊締手段を構成したことを特徴とする請求項３〜５のいずれか１項に記載の靴。
【請求項７】
前記前方開口部にタン部材を配設し、前記靴紐の中間部をこのタン部材の表側から裏側に通し、この裏側に通した靴紐の中間部を上方へと挿通案内する靴紐案内部を、前記タン部材の上方部に設け、この靴紐案内部を介して上方へと案内された靴紐の中間部に前記緊締保持手段を設けたことを特徴とする請求項１〜６のいずれか１項に記載の靴。
【請求項８】
前記緊締保持手段は、前記靴紐を挿通する挿通部を備えた紐止め本体に、この挿通部に挿通された靴紐に圧接する圧接・解除可能な圧接体を設けた紐止め具を採用して構成したことを特徴とする請求項１〜７のいずれか１項に記載の靴。
【発明の詳細な説明】
【技術分野】
【０００１】
本発明は、緊締操作が容易に行われて良好なフィット感が得られる靴に関するものである。
【背景技術】
【０００２】
靴の緊締構造としては、甲被の足甲部分から履き口にかけてに靴紐を通して締め上げる構造が知られており、例えばスノーボード用のブーツのように、足首部より高さのある上方覆い部を有する形状の靴にも、この靴紐による緊締構造は多く採用されている。
【０００３】
ところが、この靴紐による緊締構造は、つま先側から順番に締め上げていくが、スノーボード用ブーツのように上方覆い部がすね部にまで達する靴においては、つま先からすね部まで締め上げていくことに強い力が必要であると共に手間も時間もかかり、更にはすね部を締め上げるころにはつま先側が緩んできてしまったりして、しっかりと緊締することが難しかった。
【０００４】
そこで、従来、ブーツの足甲部分とすね部分とに夫々独立した靴紐による緊締構造を設けて、足甲部とすね部の緊締具合を緩まないように別々に調整できると共に、夫々の靴紐に紐止手段を設けて、この紐止手段により靴紐を簡単に緩まないようにできるスノーボード用ブーツ（特許文献１）が提案されている。
【０００５】
また、出願人は、厄介な緊締を容易に且つ迅速に行うことができる特開２００８−１９４２２３号（特許文献２）と、特開２００９−８９９０２号（特許文献３）を開発し、特許出願している。
【先行技術文献】
【特許文献】
【０００６】
【特許文献１】登録実用新案第３１１５７７３号公報
【特許文献２】特開２００８−１９４２２３号公報
【特許文献３】特開２００９−８９９０２号公報
【発明の概要】
【発明が解決しようとする課題】
【０００７】
出願人は、上記特許文献２，３を開発後も、これらより更に緊締操作が容易に行われて且つ良好なフィット感が得られるようにできないかと試行錯誤し研究を重ねた末に、本発明を完成させるに至った。
【課題を解決するための手段】
【０００８】
添付図面を参照して本発明の要旨を説明する。
【０００９】
足首部分より高さのある上方覆い部１を備えると共に、この上方覆い部１から足甲部２にかけて開口する前方開口部３を備え、この前方開口部３の甲側開口部３Ａと上方側開口部３Ｂとに夫々独立した緊締手段４を設けた靴において、一本の紐材から成る若しくは複数本の紐材を連結して成る靴紐６の一端側を前記甲側開口部３Ａに左右蛇行状態に通して甲側開口部３Ａの前記緊締手段４を構成すると共に、前記靴紐６の他端側を前記上方側開口部３Ｂに左右蛇行状態に通して上方側開口部３Ｂの前記緊締手段４を構成し、この甲側開口部３Ａの緊締手段４と上方側開口部３Ｂの緊締手段４の間に存する前記靴紐６の中間部を引動部11として、この引動部11を引動することにより甲側開口部３Ａの緊締手段４と上方側開口部３Ｂの緊締手段４とのいずれか一方若しくは双方を緊締し得るように構成し、この引動部11を引動状態に保持して甲側開口部３Ａと上方側開口部３Ｂとのいずれか一方若しくは双方を緊締状態に保持する保持・解除可能な緊締保持手段12を備えたことを特徴とする靴に係るものである。
【００１０】
また、足首部分より高さのある上方覆い部１を備えると共に、この上方覆い部１から足甲部２にかけて開口する前方開口部３を備え、この前方開口部３の甲側開口部３Ａと上方側開口部３Ｂとに夫々独立した緊締手段４を設けた靴本体Ａと、この靴本体Ａ内に内装するものであって、足首部分より高さのある上方被覆部13を備えると共に、少なくともこの上方被覆部13に前側開口部14を備えたインナー体Ｂとから成る靴において、前記インナー体Ｂの前記前側開口部14の左右両側縁に夫々インナー用紐通し部15を設け、一方のインナー用紐通し部15に、一本の紐材から成る若しくは複数本の紐材を連結して成る靴紐６の一端側を通すと共に、この靴紐６の一端側を前記靴本体Ａの前記甲側開口部３Ａに左右蛇行状態に通して甲側開口部３Ａの前記緊締手段４を構成し、他方の前記インナー用紐通し部15に前記靴紐６の他端側を通すと共に、この靴紐６の他端側を前記靴本体Ａの前記上方側開口部３Ｂに左右蛇行状態に通して上方側開口部３Ｂの前記緊締手段４を構成し、この一方のインナー用紐通し部15と他方のインナー用紐通し部15の間に存する前記靴紐６の中間部を引動部11として、この引動部11を引動することにより前記インナー体Ｂの前側開口部14を緊締すると共に、前記靴本体Ａの甲側開口部３Ａの緊締手段４と上方側開口部３Ｂの緊締手段４とのいずれか一方若しくは双方を緊締し得るように構成し、この引動部11を引動状態に保持して前記インナー体Ｂの前側開口部14を緊締状態に保持すると共に、前記靴本体Ａの甲側開口部３Ａと上方側開口部３Ｂとのいずれか一方若しくは双方を緊締状態に保持する保持・解除可能な緊締保持手段12を備えたことを特徴とする靴に係るものである。
【００１１】
また、前記各緊締手段４は、前記甲側開口部３Ａと前記上方側開口部３Ｂの左右のいずれか一側縁に紐固定部５を設けてこの各紐固定部５に前記靴紐６の一端と他端を固定し、この各紐固定部５に固定した靴紐６の中間部側を支持してＵターンさせる第一紐支持部７を、甲側開口部３Ａと上方側開口部３Ｂの左右いずれか他側縁に設け、この各第一紐支持部７に支持してＵターンさせた靴紐６の中間部側を、前記各紐固定部５と各第一紐支持部７との間に存する靴紐６の途中部とクロスしないように支持する第二紐支持部８を、前記甲側開口部３Ａと前記上方側開口部３Ｂの左右いずれか一側縁に設けて、この各第二紐支持部８に支持した靴紐６の中間部側を引動することで甲側開口部３Ａ及び上方側開口部３Ｂを緊締し得るように構成したことを特徴とする請求項１，２のいずれか１項に記載の靴に係るものである。
【００１２】
また、前記紐固定部５と前記第一紐支持部７とは、前記甲側開口部３Ａと前記上方側開口部３Ｂの左右のいずれか一側縁と他側縁とに略水平対向状態にして設け、この甲側開口部３Ａと上方側開口部３Ｂの左右いずれか一側縁の、前記各紐固定部５より上方位置若しくは下方位置に前記第二紐支持部８を設けて、各第一紐支持部７に支持してＵターンさせた前記靴紐６の中間部側が、前記各紐固定部５と各第一紐支持部７との間に存する靴紐６の途中部とクロスしないように第二紐支持部８に支持される構成としたことを特徴とする請求項３記載の靴に係るものである。
【００１３】
また、前記第一紐支持部７と前記第二紐支持部８は、滑車16を採用したことを特徴とする請求項３，４のいずれか１項に記載の靴に係るものである。
【００１４】
また、前記第一紐支持部７に支持してＵターンさせた前記靴紐６の中間部側を支持してＵターンさせる前記第二紐支持部８を、前記甲側開口部３Ａと前記上方側開口部３Ｂの左右いずれか一側縁に設け、この各第二紐支持部８に支持してＵターンさせた靴紐６の中間部側を、前記各第一紐支持部７と各第二紐支持部８との間に存する靴紐６の途中部とクロスしないように支持する第三紐支持部９を、甲側開口部３Ａと上方側開口部３Ｂの左右いずれか他側縁に設けて、この各第三紐支持部９に支持した靴紐６の中間部側を引動することで甲側開口部３Ａ及び上方側開口部３Ｂを緊締し得るように前記緊締手段４を構成したことを特徴とする請求項３〜５のいずれか１項に記載の靴に係るものである。
【００１５】
また、前記前方開口部３にタン部材17を配設し、前記靴紐６の中間部をこのタン部材17の表側から裏側に通し、この裏側に通した靴紐６の中間部を上方へと挿通案内する靴紐案内部18を、前記タン部材17の上方部に設け、この靴紐案内部18を介して上方へと案内された靴紐６の中間部に前記緊締保持手段12を設けたことを特徴とする請求項１〜６のいずれか１項に記載の靴に係るものである。
【００１６】
また、前記緊締保持手段12は、前記靴紐６を挿通する挿通部を備えた紐止め本体19に、この挿通部に挿通された靴紐６に圧接する圧接・解除可能な圧接体20を設けた紐止め具21を採用して構成したことを特徴とする請求項１〜７のいずれか１項に記載の靴に係るものである。
【発明の効果】
【００１７】
本発明は上述のように構成したから、引動部を引動するだけの一動作で足甲部（甲側開口部）の緊締手段と上方覆い部（上方側開口部）の緊締手段を同時に緊締して足にフィットさせることができるし、甲側開口部だけを緊締したり上方側開口部だけを緊締したりするような調整操作も容易に行うことができ、しかも、この引動部の引動操作は、両手はもちろん片手でも操作可能であるから操作性に優れ、この容易な緊締操作によって得られた良好なフィット感を緊締保持手段により保持することができる極めて実用性に優れた画期的な靴となる。
【００１８】
また、請求項２記載の発明は上述のように構成したから、前記作用・効果に加えて、引動部を引動するだけの一動作で、靴本体の甲側開口部の緊締手段と上方側開口部の緊締手段とのいずれか一方若しくは双方と共に、インナー体の前側開口部も同時に緊締できる極めて実用性に優れた画期的な靴となる。
【００１９】
また、請求項３記載の発明においては、各緊締手段において靴紐が支持される箇所が少ないために靴紐への摩擦抵抗が比較的小さく、しかも各靴紐が途中でクロスしないように支持されて靴紐自身による摩擦抵抗もないので、引動部の引動操作を簡易に且つ素早く行って緊締操作を完了することができる一層実用性に優れた構成の靴となる。
【００２０】
また、請求項４記載の発明においては、靴紐をクロスさせずに支持する緊締手段を簡易に設計実現可能となる一層実用性に優れた構成の靴となる。
【００２１】
また、請求項５記載の発明においては、靴紐の引動抵抗が一層軽減されることになるので、引動部の引動操作（緊締手段の緊締操作）が一層簡易に且つ素早く行われる極めて実用性に優れた構成の靴となる。
【００２２】
また、請求項６記載の発明においては、靴紐を第一紐支持部と第二紐支持部と第三紐支持部とに支持する構成としたことにより、甲側開口部と上方側開口部のより広範囲が靴紐によって緊締されて一層良好なフィット感が得られる極めて実用性に優れた構成の靴となる。
【００２３】
また、請求項７記載の発明においては、靴紐の中間部をタン部材の表側から裏側に通し、この裏側に通した靴紐の中間部を靴紐案内部により上方へと案内したことにより、靴紐の中間部が各緊締手段を構成している靴紐の途中部とクロスしないこととなるため、確実に引動部の引動抵抗を低減でき、しかも、タン部材の上方で引動部の引動操作と緊締保持手段の緊締保持・保持解除操作を行うことができるため、ユーザーは比較的楽な姿勢でこの操作を容易に行うことができるなど、一層操作性に優れ・実用性に優れた靴となる。
【００２４】
また、請求項８記載の発明においては、操作性に優れた緊締保持手段を簡易に設計実現可能となる一層実用性に優れた構成の靴となる。
【図面の簡単な説明】
【００２５】
【図１】実施例１の靴紐を緊締した状態を示す斜視図である。
【図２】実施例１の靴紐を緩めた状態を示す概略正面図である。
【図３】実施例１の靴紐を緊締した状態を示す概略正面図である。
【図４】実施例１の滑車（第一紐支持部，第二紐支持部，第三紐支持部，第四紐支持部）の取付構造を示す部分拡大説明図である。
【図５】実施例１の靴紐案内部を示す部分拡大説明図である。
【図６】実施例１の靴紐を緩めた状態を示す斜視図である。
【図７】実施例２を示す斜視図である。
【発明を実施するための形態】
【００２６】
好適と考える本発明の実施形態（発明をどのように実施するか）を、図面に基づいて本発明の作用を示して簡単に説明する。
【００２７】
請求項１記載の発明の場合は、本発明品に足を挿入して靴紐６中間部の引動部11を引動すると、この靴紐６の一端側を左右蛇行状態に通して構成した前方開口部３の甲側開口部３Ａの緊締手段４と、靴紐６の他端側を左右蛇行状態に通して構成した前方開口部３の上方側開口部３Ｂの緊締手段４との双方が同時に緊締されることになる。
【００２８】
また、この引動部11を、靴紐６の一端側だけを引動するように操作すると、甲側開口部３Ａの緊締手段４だけを緊締でき、引動部11の靴紐６の他端側だけを引動するように操作すると、上方側開口部３Ｂの緊締手段４だけを緊締できる。
【００２９】
従って、引動部11を引動するだけの一動作によって足甲部２（甲側開口部３Ａ）と上方覆い部１（上方側開口部３Ｂ）とを同時に緊締して本発明品を簡単に足にフィットさせることができるし、甲側開口部３Ａだけを緊締したり上方側開口部３Ｂだけを緊締したりする微調整も、引動部11の引動の仕方を替えるだけで容易に行われることとなり、しかも、この引動部11の引動操作は、両手はもちろん片手でも操作可能であるから操作性に優れ、緊締操作が極めて容易に行われることとなる。
【００３０】
緊締操作終了後に緊締保持手段12により引動部11を引動状態に保持すると、甲側開口部３Ａと上方側開口部３Ｂとのいずれか一方若しくは双方が緊締状態に保持されて足への良好なフィット感が得られた状態が保持されることになる。
【００３１】
また、請求項２記載の発明の場合は、靴本体Ａに内装されたインナー体Ｂに足を挿入して靴紐６中間部の引動部11を引動すると、この靴紐６の一端側を左右蛇行状態に通して構成した靴本体Ａの前方開口部３の甲側開口部３Ａの緊締手段４と、靴紐６の他端側を左右蛇行状態に通して構成した前方開口部３の上方側開口部３Ｂの緊締手段４との双方が同時に緊締されることになると共に、この際、インナー体Ｂの前側開口部14の左右両側縁に設けた一方のインナー用紐通し部15に靴紐６の一端側が通されていると共に、他方のインナー用紐通し部15に靴紐６の他端側が通されているために、インナー体Ｂの前側開口部14も同時に緊締されることになる。
【００３２】
また、この引動部11を、靴紐６の一端側だけを引動するように操作すると、甲側開口部３Ａの緊締手段４だけを緊締でき、引動部11の靴紐６の他端側だけを引動するように操作すると、上方側開口部３Ｂの緊締手段４だけを緊締できる。
【００３３】
従って、引動部11を引動するだけの一動作によって靴本体Ａの足甲部２（甲側開口部３Ａ）と上方覆い部１（上方側開口部３Ｂ）と、インナー体Ｂの少なくとも上方被覆部13（前側開口部14）とを同時に緊締して本発明品を足にフィットさせることができるし、甲側開口部３Ａだけを緊締したり上方側開口部３Ｂだけを緊締したりする微調整も、引動部11の引動の仕方を替えるだけで容易に行われることとなり、しかも、この引動部11の引動操作は、両手はもちろん片手でも操作可能であるから操作性に優れ、緊締操作が極めて容易に行われることとなる。
【００３４】
緊締操作終了後に緊締保持手段12により引動部11を引動状態に保持すると、靴本体Ａの甲側開口部３Ａと上方側開口部３Ｂとのいずれか一方若しくは双方と、インナー体Ｂの前側開口部14とが緊締状態に保持されて足への良好なフィット感が得られた状態が保持されることになる。
【００３５】
また、例えば、前記各緊締手段４は、前記甲側開口部３Ａと前記上方側開口部３Ｂの左右のいずれか一側縁に紐固定部５を設けてこの各紐固定部５に前記靴紐６の一端と他端を固定し、この各紐固定部５に固定した靴紐６の中間部側を支持してＵターンさせる第一紐支持部７を、甲側開口部３Ａと上方側開口部３Ｂの左右いずれか他側縁に設け、この各第一紐支持部７に支持してＵターンさせた靴紐６の中間部側を、前記各紐固定部５と各第一紐支持部７との間に存する靴紐６の途中部とクロスしないように支持する第二紐支持部８を、前記甲側開口部３Ａと前記上方側開口部３Ｂの左右いずれか一側縁に設けて、この各第二紐支持部８に支持した靴紐６の中間部側を引動することで甲側開口部３Ａ及び上方側開口部３Ｂを緊締し得るように構成した場合には、この靴紐６の一端側と他端側とが、甲側開口部３Ａ及び上方側開口部３Ｂの所定範囲に左右蛇行状態に存して、この靴紐６が存する甲側開口部３Ａ及び上方側開口部３Ｂの所定範囲を良好に緊締することができる。
【００３６】
また、第一紐支持部７と第二紐支持部８とに支持された靴紐６は、支持される箇所が少ないためにこの第一紐支持部７と第二紐支持部８とから受ける摩擦抵抗が比較的小さく、しかも、各緊締手段４は、いずれも靴紐６の中間部側が、甲側開口部３Ａと上方側開口部３Ｂの左右いずれか他側縁に設けた第一紐支持部７に支持されてＵターンした後、甲側開口部３Ａと上方側開口部３Ｂの左右いずれか一側縁に設けた第二紐支持部８に、紐固定部５と第一紐支持部７との間に存する靴紐６の途中部とクロスしないように支持されているために、靴紐６自身による摩擦抵抗もない。
【００３７】
従って、この靴紐６の中間部（引動部11）の引動操作には大きな抵抗を生じず、簡単に且つ素早く引動操作を行って緊締操作を完了することができる。
【００３８】
よって、このように引動部11の引動操作が極めて容易に行われるので、足甲部２と上方覆い部１とを素早く緊締して緊締状態を保持可能となる極めて実用性に優れた靴となる。
【実施例１】
【００３９】
本発明の具体的な実施例１について図１〜図６に基づいて説明する。
【００４０】
本実施例は、スノーボード用の靴（ブーツ）に適用した場合を示している。
【００４１】
このスノーボード用ブーツについて簡単に説明すると、アウターブーツＡたる靴本体Ａと、この靴本体Ａに着脱自在に内装するインナーブーツＢたるインナー体Ｂとから成る構成としている。
【００４２】
また、靴本体Ａは、足首より高さがあってすね部途中までを覆う上方覆い部１を備え、この上方覆い部１の履き口部の前側から足甲部２にかけて開口する前方開口部３を備え、この前方開口部３にタン部材17を備えている。
【００４３】
また、インナー体Ｂは、足首より高さがあってすね部途中までを覆う上方被覆部13を備え、この上方被覆部13の履き口部の前側から足首部にかけて開口する前側開口部14を備え、この前側開口部14にタン部材22を備えている。
【００４４】
本実施例では、前記靴本体Ａの前方開口部３の甲側開口部３Ａと上方側開口部３Ｂとに夫々独立した緊締手段４を設けている。
【００４５】
具体的には、長さのある一本の紐材から成る靴紐６の一端を前記甲側開口部３Ａに左右蛇行状態に通して甲側開口部３Ａの前記緊締手段４を構成すると共に、前記靴紐６の他端を前記上方側開口部３Ｂに左右蛇行状態に通して上方側開口部３Ｂの前記緊締手段４を構成している。
【００４６】
先ず、甲側開口部３Ａの緊締手段４について説明する。
【００４７】
甲側開口部３Ａの足先側の左右のいずれか一側縁（図面では左側縁）に紐固定部５を設けてこの紐固定部５に靴紐６の一端を固定している。
【００４８】
更に具体的には、甲側開口部３Ａの足先側の一側縁より、靴紐６を挿通可能な環状部を甲側開口部３Ａの内方（他側縁の方向）に向けて突設して、この環状部を前記紐固定部５とし、この紐固定部５に靴紐６の一端を結び止めることで固定した場合を示している。
【００４９】
また、甲側開口部３Ａの足先側の他側縁（図面では右側縁）に、前記紐固定部５に一端を固定した靴紐６の他端側（中間側）を支持して甲側開口部３Ａの一側縁の方向へとＵターンさせる第一紐支持部７を設け、この第一紐支持部７でＵターンさせた靴紐６の他端側（中間側）を支持して甲側開口部３Ａの他側縁の方向へとＵターンさせる第二紐支持部８を甲側開口部３Ａの一側縁に設け、この第二紐支持部８でＵターンさせた靴紐６の他端側（中間側）を支持して甲側開口部３Ａの一側縁の方向へとＵターンさせる第三紐支持部９を甲側開口部３Ａの他側縁に設け、この第三紐支持部９でＵターンさせた靴紐６の他端側（中間側）を支持して甲側開口部３Ａの他側縁の方向へとＵターンさせる第四紐支持部10を甲側開口部３Ａの一側縁に設けている。
【００５０】
更に詳しくは、第一紐支持部７，第二紐支持部８，第三紐支持部９，第四紐支持部10は、いずれも滑車16を採用して構成している。
【００５１】
また、この各滑車16の靴本体Ａへの取付構造は、図４に示すように、この滑車16を軸支する枠形の軸受23を、二重の甲皮間に挟み込んで止着した構造としている。
【００５２】
また、第一紐支持部７としての滑車16は、紐固定部５と略水平対向状態にして設け、第二紐支持部８としての滑車16は、第一紐支持部７よりやや足首部側に位置するように設け、第三紐支持部９としての滑車16は、第二紐支持部８よりやや足首部側に位置するように設け、第四紐支持部10としての滑車16は、第三紐支持部９よりやや足首部側に位置するように設けている。
【００５３】
そして、前記紐固定部５に一端を固定した靴紐６の他端側（中間側）を、第一紐支持部７，第二紐支持部８，第三紐支持部９の順番で且つ各滑車16に対して下側から半周程掛回し支持することにより、各紐支持部７，８，９で靴紐６の他端側（中間側）を甲側開口部３Ａの対向する側縁方向へとＵターンさせると共に、前記紐固定部５と前記第一紐支持部７との間に存する靴紐６の途中部と、第一紐支持部７と第二紐支持部８との間に存する靴紐６の途中部と、第二紐支持部８と第三紐支持部９との間に存する靴紐６の途中部とが互いにクロスしないようにして左右蛇行状態に支持する構成としている。
【００５４】
更に、第三紐支持部９に支持してＵターンさせた靴紐６の他端側（中間側）を第四紐支持部10に下側から掛回して支持し、この第四紐支持部10に支持した靴紐６の他端側（中間側）を引動することで甲側開口部３Ａを緊締し得るように構成している。尚、図面では、滑車16で構成された各紐支持部７，８，９，10にいずれもその下側から靴紐６を掛回し支持した場合を示しているが、この紐支持部７，８，９，10の配置構成や設置個数などによっては上側から掛回し支持するようにしても良い。
【００５５】
また、本実施例では、第一紐支持部７，第二紐支持部８，第三紐支持部９，第四紐支持部10は、いずれも靴本体Ａの甲皮により外部に露出しない隠蔽状態として、故障を生じにくくしている。
【００５６】
次に、上方側開口部３Ｂの緊締手段４について説明する。
【００５７】
具体的には、前記甲側開口部３Ａの緊締手段４と同様の構成を採用しているが、紐固定部５，第一紐支持部７，第二紐支持部８，第三紐支持部９，第四紐支持部10が、甲側開口部３Ａの緊締手段４のそれらと、上下反転状態且つ左右反転状態となるようにして設けている。
【００５８】
即ち、この上方側開口部３Ｂでは、甲側開口部３Ａに対して左右の一側縁と他側縁の方向が逆転しており、また、第一紐支持部７，第二紐支持部８，第三紐支持部９，第四紐支持部10は、上方側開口部３Ｂの上方側から順番に設けられている。
【００５９】
更に詳しくは、上方側開口部３Ｂの上方側（履き口部側）の一側縁（図面右側縁）に紐固定部５を設け、この紐固定部５と略水平対向状態にして上方側開口部３Ｂの他側縁（図面左側縁）に第一紐支持部７を設け、この第一紐支持部７よりやや足首部側に位置するようにして上方側開口部３Ｂの一側縁に第二紐支持部８を設け、この第二紐支持部８よりやや足首部側に位置するようにして上方側開口部３Ｂの他側縁に第三紐支持部９を設け、この第三紐支持部９よりやや足首部側に位置するようにして上方側開口部３Ｂの一側縁に第四紐支持部10を設け、紐固定部５に前記靴紐６の他端を固定すると共に、この靴紐６の一端側（中間部側）を各紐支持部７，８，９，10に対して順番に上側から掛回し支持するようにしている。
【００６０】
また、本実施例では、甲側開口部３Ａの緊締手段４の第四紐支持部10と、上方側開口部３Ｂの緊締手段４の第四紐支持部10とが、靴本体Ａの足首位置で略水平対向状態となるように設け、これにより甲側開口部３Ａの緊締手段４は甲側開口部３Ａの略全範囲を、上方側開口部３Ｂの緊締手段４は上方側開口部３Ｂの略全範囲を夫々緊締して足に良好にフィットするように構成している。
【００６１】
従って、このように構成した本実施例の各緊締手段４は、いずれもわずか四箇所の紐支持部７，８，９，10に靴紐６を支持する構成であるから、支持箇所が少ないためにこの各紐支持部７，８，９，10から受ける摩擦抵抗が比較的小さい上、靴紐６が途中でクロスする構成でもないため、靴紐６自身による摩擦抵抗もなく、しかも、各紐支持部７，８，９，10が滑車16であるから、軽い力で極めて容易に引動し緊締操作可能である。
【００６２】
本実施例では、前記タン部材17の足首部の左右部に、このタン部材17を表裏方向に貫通する貫通孔24を形成し、この一方（図面左側）の貫通孔24を介して前記甲側開口部３Ａの緊締手段４の靴紐６の他端側（中間部側）をタン部材17表側から裏側に通し、他方（図面右側）の貫通孔24を介して前記上方側開口部３Ｂの緊締手段４の靴紐６の一端側（中間部側）をタン部材17表側から裏側に通して、一本の靴紐６の、各緊締手段４間に位置する中間部をタン部材17の裏側に配設している。
【００６３】
一方、前記インナー体Ｂの前記前側開口部14の左右のいずれか一側縁に、靴紐６を挿通可能なインナー用紐通し部15を設けている。
【００６４】
具体的には、前側開口部14の一側縁と他側縁の対向位置に夫々靴紐６を上下方向に挿通可能な環状部を設けて、この各環状部をインナー用紐通し部15としている。
【００６５】
そして、図２，図３に示すように、タン部材17の裏側に通した靴紐６の中間部の両側部分をクロスさせた上で、この両側部分を左右の前記インナー用紐通し部15に夫々その下部から上方へ向けて挿通させている。更に詳しくは、靴紐６中間部の、上方側開口部３Ｂの緊締手段４側（靴紐６の他端側）は、一方（図面左側）のインナー用紐通し部15に、甲側開口部３Ａの緊締手段４側（靴紐６の一端側）は、他方（図面左側）のインナー用紐通し部15に夫々挿通させている。
【００６６】
また、本実施例では、このタン部材17の裏側に通した靴紐６の中間部を集束状態にしてタン部材17の表側の上方へと挿通案内する靴紐案内部18を、タン部材17の上方部に設けている。
【００６７】
具体的には、靴紐案内部18は、タン部材17の上側中央部に、左右近接並設状態にしてこのタン部材17を表裏方向に貫通するように設ける挿通孔25と、この挿通孔25と連通状態にしてタン部材17の表面部の上側中央部に付設する、二本のパイプ部材が並設状態に連帯した構造の二連パイプ部26とからなる構成とし、前記各インナー用紐通し部15に挿通した靴紐６の中間部を、この靴紐案内部18の挿通孔25から二連パイプ部26へと通すことでタン部材17の裏側から表側へと再び通してこの二連パイプ部26の上端部から上向きに突出させている。
【００６８】
本実施例では、この靴紐案内部18を介して上方へ突出状態に配された靴紐６の中間部に握持部材27を被覆固定し、この握持部材27を握持操作可能な前記引動部11としている。
【００６９】
そして、この引動部11を引動することにより甲側開口部３Ａの緊締手段４と上方側開口部３Ｂの緊締手段４とが同時に緊締されると共に、前記インナー体Ｂの前側開口部14も、その左右両側縁が互いに接近するように移動規制されて同時に緊締されるように構成し、また、この引動部11を、靴紐６の一端側だけを引動するように操作すると、甲側開口部３Ａの緊締手段４だけを緊締でき、引動部11の靴紐６の他端側だけを引動するように操作すると、上方側開口部３Ｂの緊締手段４だけを緊締できる構成としている。
【００７０】
また、本実施例では、この靴紐案内部18より上方へ配された各靴紐６の中間部の途中部に、前記引動部11を引動状態に保持して甲側開口部３Ａと上方側開口部３Ｂとインナー体Ｂの前側開口部14とを緊締状態に保持する保持・解除可能な緊締保持手段12を設けている。
【００７１】
具体的には、緊締保持手段12は、公知の紐止め具21を採用している。
【００７２】
この紐止め具21を簡単に説明すると、前記靴紐６を挿通する挿通部を備えた紐止め本体19に、この挿通孔に挿通された靴紐６に圧接する圧接体20を設けた構成である。また、この圧接体20は、紐止め本体19に対してスライド移動自在に設け、この圧接体20をスライド操作することで、圧接体20による靴紐６の圧接紐止め状態と圧接解除状態とが切り替えられる簡易な操作性を具備するものである。
【００７３】
また、この紐止め具21による各緊締手段４及びインナー体Ｂの前側開口部14の緊締保持構造は、前記引動部11を引動して緊締操作を完了した後、圧接解除状態とした紐止め本体19を靴紐６に沿って下方へスライドさせ、前記靴紐案内部18の二連パイプ部26の上端部に当接させた上で圧接紐止め状態に切り替えると、引動した靴紐６の戻り動が阻止されて、緊締状態が保持される構造としている。
【００７４】
また、この緊締保持状態を解除する場合は、紐止め具21を圧接解除状態とするだけで良いが、本実施例では、各緊締手段４の第三紐支持部９と第四紐支持部10の間に存する靴紐６の途中部間に緩め用バンド28を環状に掛回し装着し、この緩め用バンド28を靴本体Ａ前方へ引動することで、素早く各緊締手段４及びインナー体Ｂの前側開口部14を緩めることができるようにしている（図６参照。）。
【００７５】
尚、本実施例では、長さのある一本の靴紐６で甲側開口部３Ａと上方側開口部３Ｂの緊締手段４を構成した場合を示したが、この靴紐６は、複数本の紐材を連結して成る構成としても良く、例えば、甲側開口部３Ａの緊締手段４と上方側開口部３Ｂの緊締手段４とに夫々別々の紐材（靴紐６）を通し、この各緊締手段４の紐材の引動側端部同士を連結してこの連結部を靴紐６の中間部であって前記引動部11とする構成としても良い。
【実施例２】
【００７６】
本発明の具体的な実施例２について図７に基づいて説明する。
【００７７】
本実施例は、前記実施例１において、インナー体Ｂの緊締構造を省いた場合である。
【００７８】
具体的には、靴紐６の中間部をタン部材17の裏側へと通すことなく、タン部材17の表側に配した構成としている。
【００７９】
更に詳しくは、本実施例の靴紐案内部18は、上下方向に貫通する二連パイプ部26Ａをタン部材17の表面部の上側中央部に付設して構成している。
【００８０】
そして、タン部材17の表側に配した靴紐６の中間部を、上方側開口部３Ｂの緊締手段４の靴紐６とタン部材17の表面部との間に通してこの二連パイプ部26Ａの下部から上方へ向けて挿通した構成としている。
【００８１】
他の構成は、前記実施例と同様である。
【００８２】
尚、本発明は、実施例１，２に限られるものではなく、各構成要件の具体的構成は適宜設計し得るものである。
【符号の説明】
【００８３】
１  上方覆い部
２  足甲部
３  前方開口部
３Ａ  甲側開口部
３Ｂ  上方側開口部
４  緊締手段
５  紐固定部
６  靴紐
７  第一紐支持部
８  第二紐支持部
９  第三紐支持部
11  引動部
12  緊締保持手段
13  上方被覆部
14  前側開口部
15  インナー用紐通し部
16  滑車
17  タン部材
18  靴紐案内部
19  紐止め本体
20  圧接体
21  紐止め具
Ａ  靴本体
Ｂ  インナー体
【図１】
2011000234.tif 000003
【図２】
2011000234.tif 000004
【図３】
2011000234.tif 000005
【図４】
2011000234.tif 000006
【図５】
2011000234.tif 000007
【図６】
2011000234.tif 000008
【図７】
2011000234.tif 000009
【手続補正書】
【提出日】平成22年9月13日(2010.9.13)
【手続補正１】
【補正対象書類名】明細書
【補正対象項目名】全文
【補正方法】変更
【補正の内容】
【発明の詳細な説明】
【技術分野】
【０００１】
本発明は、緊締操作が容易に行われて良好なフィット感が得られる靴に関するものである。
【背景技術】
【０００２】
靴の緊締構造としては、甲被の足甲部分から履き口にかけてに靴紐を通して締め上げる構造が知られており、例えばスノーボード用のブーツのように、足首部より高さのある上方覆い部を有する形状の靴にも、この靴紐による緊締構造は多く採用されている。
【０００３】
ところが、この靴紐による緊締構造は、つま先側から順番に締め上げていくが、スノーボード用ブーツのように上方覆い部がすね部にまで達する靴においては、つま先からすね部まで締め上げていくことに強い力が必要であると共に手間も時間もかかり、更にはすね部を締め上げるころにはつま先側が緩んできてしまったりして、しっかりと緊締することが難しかった。
【０００４】
そこで、従来、ブーツの足甲部分とすね部分とに夫々独立した靴紐による緊締構造を設けて、足甲部とすね部の緊締具合を緩まないように別々に調整できると共に、夫々の靴紐に紐止手段を設けて、この紐止手段により靴紐を簡単に緩まないようにできるスノーボード用ブーツ（特許文献１）が提案されている。
【０００５】
また、出願人は、厄介な緊締を容易に且つ迅速に行うことができる特開２００８−１９４２２３号（特許文献２）と、特開２００９−８９９０２号（特許文献３）を開発し、特許出願している。
【先行技術文献】
【特許文献】
【０００６】
【特許文献１】登録実用新案第３１１５７７３号公報
【特許文献２】特開２００８−１９４２２３号公報
【特許文献３】特開２００９−８９９０２号公報
【発明の概要】
【発明が解決しようとする課題】
【０００７】
出願人は、上記特許文献２，３を開発後も、これらより更に緊締操作が容易に行われて且つ良好なフィット感が得られるようにできないかと試行錯誤し研究を重ねた末に、本発明を完成させるに至った。
【課題を解決するための手段】
【０００８】
添付図面を参照して本発明の要旨を説明する。
【０００９】
足首部分より高さのある上方覆い部１を備えると共に、この上方覆い部１から足甲部２にかけて開口する前方開口部３を備え、この前方開口部３の甲側開口部３Ａと上方側開口部３Ｂとに夫々独立した緊締手段４を設けた靴本体Ａと、この靴本体Ａ内に内装するものであって、足首部分より高さのある上方被覆部13を備えると共に、少なくともこの上方被覆部13に前側開口部14を備えたインナー体Ｂとから成る靴において、前記インナー体Ｂの前記前側開口部14の左右両側縁に夫々インナー用紐通し部15を設け、一方のインナー用紐通し部15に、一本の紐材から成る若しくは複数本の紐材を連結して成る靴紐６の一端側を通すと共に、この靴紐６の一端側を前記靴本体Ａの前記甲側開口部３Ａに左右蛇行状態に通して甲側開口部３Ａの前記緊締手段４を構成し、他方の前記インナー用紐通し部15に前記靴紐６の他端側を通すと共に、この靴紐６の他端側を前記靴本体Ａの前記上方側開口部３Ｂに左右蛇行状態に通して上方側開口部３Ｂの前記緊締手段４を構成し、この一方のインナー用紐通し部15と他方のインナー用紐通し部15の間に存する前記靴紐６の中間部を引動部11として、この引動部11を引動することにより前記インナー体Ｂの前側開口部14を緊締すると共に、前記靴本体Ａの甲側開口部３Ａの緊締手段４と上方側開口部３Ｂの緊締手段４とのいずれか一方若しくは双方を緊締し得るように構成し、この引動部11を引動状態に保持して前記インナー体Ｂの前側開口部14を緊締状態に保持すると共に、前記靴本体Ａの甲側開口部３Ａと上方側開口部３Ｂとのいずれか一方若しくは双方を緊締状態に保持する保持・解除可能な緊締保持手段12を備えたことを特徴とする靴に係るものである。
【００１０】
また、前記各緊締手段４は、前記甲側開口部３Ａと前記上方側開口部３Ｂの左右のいずれか一側縁に紐固定部５を設けてこの各紐固定部５に前記靴紐６の一端と他端を固定し、この各紐固定部５に固定した靴紐６の中間部側を支持してＵターンさせる第一紐支持部７を、甲側開口部３Ａと上方側開口部３Ｂの左右いずれか他側縁に設け、この各第一紐支持部７に支持してＵターンさせた靴紐６の中間部側を、前記各紐固定部５と各第一紐支持部７との間に存する靴紐６の途中部とクロスしないように支持する第二紐支持部８を、前記甲側開口部３Ａと前記上方側開口部３Ｂの左右いずれか一側縁に設けて、この各第二紐支持部８に支持した靴紐６の中間部側を引動することで甲側開口部３Ａ及び上方側開口部３Ｂを緊締し得るように構成したことを特徴とする請求項１記載の靴に係るものである。
【００１１】
また、前記紐固定部５と前記第一紐支持部７とは、前記甲側開口部３Ａと前記上方側開口部３Ｂの左右のいずれか一側縁と他側縁とに略水平対向状態にして設け、この甲側開口部３Ａと上方側開口部３Ｂの左右いずれか一側縁の、前記各紐固定部５より上方位置若しくは下方位置に前記第二紐支持部８を設けて、各第一紐支持部７に支持してＵターンさせた前記靴紐６の中間部側が、前記各紐固定部５と各第一紐支持部７との間に存する靴紐６の途中部とクロスしないように第二紐支持部８に支持される構成としたことを特徴とする請求項２記載の靴に係るものである。
【００１２】
また、前記第一紐支持部７と前記第二紐支持部８は、滑車16を採用したことを特徴とする請求項２，３のいずれか１項に記載の靴に係るものである。
【００１３】
また、前記第一紐支持部７に支持してＵターンさせた前記靴紐６の中間部側を支持してＵターンさせる前記第二紐支持部８を、前記甲側開口部３Ａと前記上方側開口部３Ｂの左右いずれか一側縁に設け、この各第二紐支持部８に支持してＵターンさせた靴紐６の中間部側を、前記各第一紐支持部７と各第二紐支持部８との間に存する靴紐６の途中部とクロスしないように支持する第三紐支持部９を、甲側開口部３Ａと上方側開口部３Ｂの左右いずれか他側縁に設けて、この各第三紐支持部９に支持した靴紐６の中間部側を引動することで甲側開口部３Ａ及び上方側開口部３Ｂを緊締し得るように前記緊締手段４を構成したことを特徴とする請求項２〜４のいずれか１項に記載の靴に係るものである。
【００１４】
また、前記前方開口部３にタン部材17を配設し、前記靴紐６の中間部をこのタン部材17の表側から裏側に通し、この裏側に通した靴紐６の中間部を上方へと挿通案内する靴紐案内部18を、前記タン部材17の上方部に設け、この靴紐案内部18を介して上方へと案内された靴紐６の中間部に前記緊締保持手段12を設けたことを特徴とする請求項１〜５のいずれか１項に記載の靴に係るものである。
【００１５】
また、前記緊締保持手段12は、前記靴紐６を挿通する挿通部を備えた紐止め本体19に、この挿通部に挿通された靴紐６に圧接する圧接・解除可能な圧接体20を設けた紐止め具21を採用して構成したことを特徴とする請求項１〜６のいずれか１項に記載の靴に係るものである。
【発明の効果】
【００１６】
本発明は上述のように構成したから、引動部を引動するだけの一動作で足甲部（甲側開口部）の緊締手段と上方覆い部（上方側開口部）の緊締手段を同時に緊締して足にフィットさせることができるし、甲側開口部だけを緊締したり上方側開口部だけを緊締したりするような調整操作も容易に行うことができ、しかも、この引動部の引動操作は、両手はもちろん片手でも操作可能であるから操作性に優れ、この容易な緊締操作によって得られた良好なフィット感を緊締保持手段により保持することができる極めて実用性に優れた画期的な靴となる。
【００１７】
また、本発明は上述のように構成したから、引動部を引動するだけの一動作で、靴本体の甲側開口部の緊締手段と上方側開口部の緊締手段とのいずれか一方若しくは双方と共に、インナー体の前側開口部も同時に緊締できる極めて実用性に優れた画期的な靴となる。
【００１８】
また、請求項２記載の発明においては、各緊締手段において靴紐が支持される箇所が少ないために靴紐への摩擦抵抗が比較的小さく、しかも各靴紐が途中でクロスしないように支持されて靴紐自身による摩擦抵抗もないので、引動部の引動操作を簡易に且つ素早く行って緊締操作を完了することができる一層実用性に優れた構成の靴となる。
【００１９】
また、請求項３記載の発明においては、靴紐をクロスさせずに支持する緊締手段を簡易に設計実現可能となる一層実用性に優れた構成の靴となる。
【００２０】
また、請求項４記載の発明においては、靴紐の引動抵抗が一層軽減されることになるので、引動部の引動操作（緊締手段の緊締操作）が一層簡易に且つ素早く行われる極めて実用性に優れた構成の靴となる。
【００２１】
また、請求項５記載の発明においては、靴紐を第一紐支持部と第二紐支持部と第三紐支持部とに支持する構成としたことにより、甲側開口部と上方側開口部のより広範囲が靴紐によって緊締されて一層良好なフィット感が得られる極めて実用性に優れた構成の靴となる。
【００２２】
また、請求項６記載の発明においては、靴紐の中間部をタン部材の表側から裏側に通し、この裏側に通した靴紐の中間部を靴紐案内部により上方へと案内したことにより、靴紐の中間部が各緊締手段を構成している靴紐の途中部とクロスしないこととなるため、確実に引動部の引動抵抗を低減でき、しかも、タン部材の上方で引動部の引動操作と緊締保持手段の緊締保持・保持解除操作を行うことができるため、ユーザーは比較的楽な姿勢でこの操作を容易に行うことができるなど、一層操作性に優れ・実用性に優れた靴となる。
【００２３】
また、請求項７記載の発明においては、操作性に優れた緊締保持手段を簡易に設計実現可能となる一層実用性に優れた構成の靴となる。
【図面の簡単な説明】
【００２４】
【図１】本実施例の靴紐を緊締した状態を示す斜視図である。
【図２】本実施例の靴紐を緩めた状態を示す概略正面図である。
【図３】本実施例の靴紐を緊締した状態を示す概略正面図である。
【図４】本実施例の滑車（第一紐支持部，第二紐支持部，第三紐支持部，第四紐支持部）の取付構造を示す部分拡大説明図である。
【図５】本実施例の靴紐案内部を示す部分拡大説明図である。
【図６】本実施例の靴紐を緩めた状態を示す斜視図である。
【発明を実施するための形態】
【００２５】
好適と考える本発明の実施形態（発明をどのように実施するか）を、図面に基づいて本発明の作用を示して簡単に説明する。
【００２６】
靴本体Ａに内装されたインナー体Ｂに足を挿入して靴紐６中間部の引動部11を引動すると、この靴紐６の一端側を左右蛇行状態に通して構成した靴本体Ａの前方開口部３の甲側開口部３Ａの緊締手段４と、靴紐６の他端側を左右蛇行状態に通して構成した前方開口部３の上方側開口部３Ｂの緊締手段４との双方が同時に緊締されることになると共に、この際、インナー体Ｂの前側開口部14の左右両側縁に設けた一方のインナー用紐通し部15に靴紐６の一端側が通されていると共に、他方のインナー用紐通し部15に靴紐６の他端側が通されているために、インナー体Ｂの前側開口部14も同時に緊締されることになる。
【００２７】
また、この引動部11を、靴紐６の一端側だけを引動するように操作すると、甲側開口部３Ａの緊締手段４だけを緊締でき、引動部11の靴紐６の他端側だけを引動するように操作すると、上方側開口部３Ｂの緊締手段４だけを緊締できる。
【００２８】
従って、引動部11を引動するだけの一動作によって靴本体Ａの足甲部２（甲側開口部３Ａ）と上方覆い部１（上方側開口部３Ｂ）と、インナー体Ｂの少なくとも上方被覆部13（前側開口部14）とを同時に緊締して本発明品を足にフィットさせることができるし、甲側開口部３Ａだけを緊締したり上方側開口部３Ｂだけを緊締したりする微調整も、引動部11の引動の仕方を替えるだけで容易に行われることとなり、しかも、この引動部11の引動操作は、両手はもちろん片手でも操作可能であるから操作性に優れ、緊締操作が極めて容易に行われることとなる。
【００２９】
緊締操作終了後に緊締保持手段12により引動部11を引動状態に保持すると、靴本体Ａの甲側開口部３Ａと上方側開口部３Ｂとのいずれか一方若しくは双方と、インナー体Ｂの前側開口部14とが緊締状態に保持されて足への良好なフィット感が得られた状態が保持されることになる。
【００３０】
また、例えば、前記各緊締手段４は、前記甲側開口部３Ａと前記上方側開口部３Ｂの左右のいずれか一側縁に紐固定部５を設けてこの各紐固定部５に前記靴紐６の一端と他端を固定し、この各紐固定部５に固定した靴紐６の中間部側を支持してＵターンさせる第一紐支持部７を、甲側開口部３Ａと上方側開口部３Ｂの左右いずれか他側縁に設け、この各第一紐支持部７に支持してＵターンさせた靴紐６の中間部側を、前記各紐固定部５と各第一紐支持部７との間に存する靴紐６の途中部とクロスしないように支持する第二紐支持部８を、前記甲側開口部３Ａと前記上方側開口部３Ｂの左右いずれか一側縁に設けて、この各第二紐支持部８に支持した靴紐６の中間部側を引動することで甲側開口部３Ａ及び上方側開口部３Ｂを緊締し得るように構成した場合には、この靴紐６の一端側と他端側とが、甲側開口部３Ａ及び上方側開口部３Ｂの所定範囲に左右蛇行状態に存して、この靴紐６が存する甲側開口部３Ａ及び上方側開口部３Ｂの所定範囲を良好に緊締することができる。
【００３１】
また、第一紐支持部７と第二紐支持部８とに支持された靴紐６は、支持される箇所が少ないためにこの第一紐支持部７と第二紐支持部８とから受ける摩擦抵抗が比較的小さく、しかも、各緊締手段４は、いずれも靴紐６の中間部側が、甲側開口部３Ａと上方側開口部３Ｂの左右いずれか他側縁に設けた第一紐支持部７に支持されてＵターンした後、甲側開口部３Ａと上方側開口部３Ｂの左右いずれか一側縁に設けた第二紐支持部８に、紐固定部５と第一紐支持部７との間に存する靴紐６の途中部とクロスしないように支持されているために、靴紐６自身による摩擦抵抗もない。
【００３２】
従って、この靴紐６の中間部（引動部11）の引動操作には大きな抵抗を生じず、簡単に且つ素早く引動操作を行って緊締操作を完了することができる。
【００３３】
よって、このように引動部11の引動操作が極めて容易に行われるので、足甲部２と上方覆い部１とを素早く緊締して緊締状態を保持可能となる極めて実用性に優れた靴となる。
【実施例】
【００３４】
本発明の具体的な実施例について図１〜図６に基づいて説明する。
【００３５】
本実施例は、スノーボード用の靴（ブーツ）に適用した場合を示している。
【００３６】
このスノーボード用ブーツについて簡単に説明すると、アウターブーツＡたる靴本体Ａと、この靴本体Ａに着脱自在に内装するインナーブーツＢたるインナー体Ｂとから成る構成としている。
【００３７】
また、靴本体Ａは、足首より高さがあってすね部途中までを覆う上方覆い部１を備え、この上方覆い部１の履き口部の前側から足甲部２にかけて開口する前方開口部３を備え、この前方開口部３にタン部材17を備えている。
【００３８】
また、インナー体Ｂは、足首より高さがあってすね部途中までを覆う上方被覆部13を備え、この上方被覆部13の履き口部の前側から足首部にかけて開口する前側開口部14を備え、この前側開口部14にタン部材22を備えている。
【００３９】
本実施例では、前記靴本体Ａの前方開口部３の甲側開口部３Ａと上方側開口部３Ｂとに夫々独立した緊締手段４を設けている。
【００４０】
具体的には、長さのある一本の紐材から成る靴紐６の一端を前記甲側開口部３Ａに左右蛇行状態に通して甲側開口部３Ａの前記緊締手段４を構成すると共に、前記靴紐６の他端を前記上方側開口部３Ｂに左右蛇行状態に通して上方側開口部３Ｂの前記緊締手段４を構成している。
【００４１】
先ず、甲側開口部３Ａの緊締手段４について説明する。
【００４２】
甲側開口部３Ａの足先側の左右のいずれか一側縁（図面では左側縁）に紐固定部５を設けてこの紐固定部５に靴紐６の一端を固定している。
【００４３】
更に具体的には、甲側開口部３Ａの足先側の一側縁より、靴紐６を挿通可能な環状部を甲側開口部３Ａの内方（他側縁の方向）に向けて突設して、この環状部を前記紐固定部５とし、この紐固定部５に靴紐６の一端を結び止めることで固定した場合を示している。
【００４４】
また、甲側開口部３Ａの足先側の他側縁（図面では右側縁）に、前記紐固定部５に一端を固定した靴紐６の他端側（中間側）を支持して甲側開口部３Ａの一側縁の方向へとＵターンさせる第一紐支持部７を設け、この第一紐支持部７でＵターンさせた靴紐６の他端側（中間側）を支持して甲側開口部３Ａの他側縁の方向へとＵターンさせる第二紐支持部８を甲側開口部３Ａの一側縁に設け、この第二紐支持部８でＵターンさせた靴紐６の他端側（中間側）を支持して甲側開口部３Ａの一側縁の方向へとＵターンさせる第三紐支持部９を甲側開口部３Ａの他側縁に設け、この第三紐支持部９でＵターンさせた靴紐６の他端側（中間側）を支持して甲側開口部３Ａの他側縁の方向へとＵターンさせる第四紐支持部10を甲側開口部３Ａの一側縁に設けている。
【００４５】
更に詳しくは、第一紐支持部７，第二紐支持部８，第三紐支持部９，第四紐支持部10は、いずれも滑車16を採用して構成している。
【００４６】
また、この各滑車16の靴本体Ａへの取付構造は、図４に示すように、この滑車16を軸支する枠形の軸受23を、二重の甲皮間に挟み込んで止着した構造としている。
【００４７】
また、第一紐支持部７としての滑車16は、紐固定部５と略水平対向状態にして設け、第二紐支持部８としての滑車16は、第一紐支持部７よりやや足首部側に位置するように設け、第三紐支持部９としての滑車16は、第二紐支持部８よりやや足首部側に位置するように設け、第四紐支持部10としての滑車16は、第三紐支持部９よりやや足首部側に位置するように設けている。
【００４８】
そして、前記紐固定部５に一端を固定した靴紐６の他端側（中間側）を、第一紐支持部７，第二紐支持部８，第三紐支持部９の順番で且つ各滑車16に対して下側から半周程掛回し支持することにより、各紐支持部７，８，９で靴紐６の他端側（中間側）を甲側開口部３Ａの対向する側縁方向へとＵターンさせると共に、前記紐固定部５と前記第一紐支持部７との間に存する靴紐６の途中部と、第一紐支持部７と第二紐支持部８との間に存する靴紐６の途中部と、第二紐支持部８と第三紐支持部９との間に存する靴紐６の途中部とが互いにクロスしないようにして左右蛇行状態に支持する構成としている。
【００４９】
更に、第三紐支持部９に支持してＵターンさせた靴紐６の他端側（中間側）を第四紐支持部10に下側から掛回して支持し、この第四紐支持部10に支持した靴紐６の他端側（中間側）を引動することで甲側開口部３Ａを緊締し得るように構成している。尚、図面では、滑車16で構成された各紐支持部７，８，９，10にいずれもその下側から靴紐６を掛回し支持した場合を示しているが、この紐支持部７，８，９，10の配置構成や設置個数などによっては上側から掛回し支持するようにしても良い。
【００５０】
また、本実施例では、第一紐支持部７，第二紐支持部８，第三紐支持部９，第四紐支持部10は、いずれも靴本体Ａの甲皮により外部に露出しない隠蔽状態として、故障を生じにくくしている。
【００５１】
次に、上方側開口部３Ｂの緊締手段４について説明する。
【００５２】
具体的には、前記甲側開口部３Ａの緊締手段４と同様の構成を採用しているが、紐固定部５，第一紐支持部７，第二紐支持部８，第三紐支持部９，第四紐支持部10が、甲側開口部３Ａの緊締手段４のそれらと、上下反転状態且つ左右反転状態となるようにして設けている。
【００５３】
即ち、この上方側開口部３Ｂでは、甲側開口部３Ａに対して左右の一側縁と他側縁の方向が逆転しており、また、第一紐支持部７，第二紐支持部８，第三紐支持部９，第四紐支持部10は、上方側開口部３Ｂの上方側から順番に設けられている。
【００５４】
更に詳しくは、上方側開口部３Ｂの上方側（履き口部側）の一側縁（図面右側縁）に紐固定部５を設け、この紐固定部５と略水平対向状態にして上方側開口部３Ｂの他側縁（図面左側縁）に第一紐支持部７を設け、この第一紐支持部７よりやや足首部側に位置するようにして上方側開口部３Ｂの一側縁に第二紐支持部８を設け、この第二紐支持部８よりやや足首部側に位置するようにして上方側開口部３Ｂの他側縁に第三紐支持部９を設け、この第三紐支持部９よりやや足首部側に位置するようにして上方側開口部３Ｂの一側縁に第四紐支持部10を設け、紐固定部５に前記靴紐６の他端を固定すると共に、この靴紐６の一端側（中間部側）を各紐支持部７，８，９，10に対して順番に上側から掛回し支持するようにしている。
【００５５】
また、本実施例では、甲側開口部３Ａの緊締手段４の第四紐支持部10と、上方側開口部３Ｂの緊締手段４の第四紐支持部10とが、靴本体Ａの足首位置で略水平対向状態となるように設け、これにより甲側開口部３Ａの緊締手段４は甲側開口部３Ａの略全範囲を、上方側開口部３Ｂの緊締手段４は上方側開口部３Ｂの略全範囲を夫々緊締して足に良好にフィットするように構成している。
【００５６】
従って、このように構成した本実施例の各緊締手段４は、いずれもわずか四箇所の紐支持部７，８，９，10に靴紐６を支持する構成であるから、支持箇所が少ないためにこの各紐支持部７，８，９，10から受ける摩擦抵抗が比較的小さい上、靴紐６が途中でクロスする構成でもないため、靴紐６自身による摩擦抵抗もなく、しかも、各紐支持部７，８，９，10が滑車16であるから、軽い力で極めて容易に引動し緊締操作可能である。
【００５７】
本実施例では、前記タン部材17の足首部の左右部に、このタン部材17を表裏方向に貫通する貫通孔24を形成し、この一方（図面左側）の貫通孔24を介して前記甲側開口部３Ａの緊締手段４の靴紐６の他端側（中間部側）をタン部材17表側から裏側に通し、他方（図面右側）の貫通孔24を介して前記上方側開口部３Ｂの緊締手段４の靴紐６の一端側（中間部側）をタン部材17表側から裏側に通して、一本の靴紐６の、各緊締手段４間に位置する中間部をタン部材17の裏側に配設している。
【００５８】
一方、前記インナー体Ｂの前記前側開口部14の左右のいずれか一側縁に、靴紐６を挿通可能なインナー用紐通し部15を設けている。
【００５９】
具体的には、前側開口部14の一側縁と他側縁の対向位置に夫々靴紐６を上下方向に挿通可能な環状部を設けて、この各環状部をインナー用紐通し部15としている。
【００６０】
そして、図２，図３に示すように、タン部材17の裏側に通した靴紐６の中間部の両側部分をクロスさせた上で、この両側部分を左右の前記インナー用紐通し部15に夫々その下部から上方へ向けて挿通させている。更に詳しくは、靴紐６中間部の、上方側開口部３Ｂの緊締手段４側（靴紐６の他端側）は、一方（図面左側）のインナー用紐通し部15に、甲側開口部３Ａの緊締手段４側（靴紐６の一端側）は、他方（図面左側）のインナー用紐通し部15に夫々挿通させている。
【００６１】
また、本実施例では、このタン部材17の裏側に通した靴紐６の中間部を集束状態にしてタン部材17の表側の上方へと挿通案内する靴紐案内部18を、タン部材17の上方部に設けている。
【００６２】
具体的には、靴紐案内部18は、タン部材17の上側中央部に、左右近接並設状態にしてこのタン部材17を表裏方向に貫通するように設ける挿通孔25と、この挿通孔25と連通状態にしてタン部材17の表面部の上側中央部に付設する、二本のパイプ部材が並設状態に連帯した構造の二連パイプ部26とからなる構成とし、前記各インナー用紐通し部15に挿通した靴紐６の中間部を、この靴紐案内部18の挿通孔25から二連パイプ部26へと通すことでタン部材17の裏側から表側へと再び通してこの二連パイプ部26の上端部から上向きに突出させている。
【００６３】
本実施例では、この靴紐案内部18を介して上方へ突出状態に配された靴紐６の中間部に握持部材27を被覆固定し、この握持部材27を握持操作可能な前記引動部11としている。
【００６４】
そして、この引動部11を引動することにより甲側開口部３Ａの緊締手段４と上方側開口部３Ｂの緊締手段４とが同時に緊締されると共に、前記インナー体Ｂの前側開口部14も、その左右両側縁が互いに接近するように移動規制されて同時に緊締されるように構成し、また、この引動部11を、靴紐６の一端側だけを引動するように操作すると、甲側開口部３Ａの緊締手段４だけを緊締でき、引動部11の靴紐６の他端側だけを引動するように操作すると、上方側開口部３Ｂの緊締手段４だけを緊締できる構成としている。
【００６５】
また、本実施例では、この靴紐案内部18より上方へ配された各靴紐６の中間部の途中部に、前記引動部11を引動状態に保持して甲側開口部３Ａと上方側開口部３Ｂとインナー体Ｂの前側開口部14とを緊締状態に保持する保持・解除可能な緊締保持手段12を設けている。
【００６６】
具体的には、緊締保持手段12は、公知の紐止め具21を採用している。
【００６７】
この紐止め具21を簡単に説明すると、前記靴紐６を挿通する挿通部を備えた紐止め本体19に、この挿通孔に挿通された靴紐６に圧接する圧接体20を設けた構成である。また、この圧接体20は、紐止め本体19に対してスライド移動自在に設け、この圧接体20をスライド操作することで、圧接体20による靴紐６の圧接紐止め状態と圧接解除状態とが切り替えられる簡易な操作性を具備するものである。
【００６８】
また、この紐止め具21による各緊締手段４及びインナー体Ｂの前側開口部14の緊締保持構造は、前記引動部11を引動して緊締操作を完了した後、圧接解除状態とした紐止め本体19を靴紐６に沿って下方へスライドさせ、前記靴紐案内部18の二連パイプ部26の上端部に当接させた上で圧接紐止め状態に切り替えると、引動した靴紐６の戻り動が阻止されて、緊締状態が保持される構造としている。
【００６９】
また、この緊締保持状態を解除する場合は、紐止め具21を圧接解除状態とするだけで良いが、本実施例では、各緊締手段４の第三紐支持部９と第四紐支持部10の間に存する靴紐６の途中部間に緩め用バンド28を環状に掛回し装着し、この緩め用バンド28を靴本体Ａ前方へ引動することで、素早く各緊締手段４及びインナー体Ｂの前側開口部14を緩めることができるようにしている（図６参照。）。
【００７０】
尚、本実施例では、長さのある一本の靴紐６で甲側開口部３Ａと上方側開口部３Ｂの緊締手段４を構成した場合を示したが、この靴紐６は、複数本の紐材を連結して成る構成としても良く、例えば、甲側開口部３Ａの緊締手段４と上方側開口部３Ｂの緊締手段４とに夫々別々の紐材（靴紐６）を通し、この各緊締手段４の紐材の引動側端部同士を連結してこの連結部を靴紐６の中間部であって前記引動部11とする構成としても良い。
【００７１】
尚、本発明は、本実施例に限られるものではなく、各構成要件の具体的構成は適宜設計し得るものである。
【符号の説明】
【００７２】
１  上方覆い部
２  足甲部
３  前方開口部
３Ａ  甲側開口部
３Ｂ  上方側開口部
４  緊締手段
５  紐固定部
６  靴紐
７  第一紐支持部
８  第二紐支持部
９  第三紐支持部
11  引動部
12  緊締保持手段
13  上方被覆部
14  前側開口部
15  インナー用紐通し部
16  滑車
17  タン部材
18  靴紐案内部
19  紐止め本体
20  圧接体
21  紐止め具
Ａ  靴本体
Ｂ  インナー体
【手続補正２】
【補正対象書類名】特許請求の範囲
【補正対象項目名】全文
【補正方法】変更
【補正の内容】
【特許請求の範囲】
【請求項１】
足首部分より高さのある上方覆い部を備えると共に、この上方覆い部から足甲部にかけて開口する前方開口部を備え、この前方開口部の甲側開口部と上方側開口部とに夫々独立した緊締手段を設けた靴本体と、この靴本体内に内装するものであって、足首部分より高さのある上方被覆部を備えると共に、少なくともこの上方被覆部に前側開口部を備えたインナー体とから成る靴において、前記インナー体の前記前側開口部の左右両側縁に夫々インナー用紐通し部を設け、一方のインナー用紐通し部に、一本の紐材から成る若しくは複数本の紐材を連結して成る靴紐の一端側を通すと共に、この靴紐の一端側を前記靴本体の前記甲側開口部に左右蛇行状態に通して甲側開口部の前記緊締手段を構成し、他方の前記インナー用紐通し部に前記靴紐の他端側を通すと共に、この靴紐の他端側を前記靴本体の前記上方側開口部に左右蛇行状態に通して上方側開口部の前記緊締手段を構成し、この一方のインナー用紐通し部と他方のインナー用紐通し部の間に存する前記靴紐の中間部を引動部として、この引動部を引動することにより前記インナー体の前側開口部を緊締すると共に、前記靴本体の甲側開口部の緊締手段と上方側開口部の緊締手段とのいずれか一方若しくは双方を緊締し得るように構成し、この引動部を引動状態に保持して前記インナー体の前側開口部を緊締状態に保持すると共に、前記靴本体の甲側開口部と上方側開口部とのいずれか一方若しくは双方を緊締状態に保持する保持・解除可能な緊締保持手段を備えたことを特徴とする靴。
【請求項２】
前記各緊締手段は、前記甲側開口部と前記上方側開口部の左右のいずれか一側縁に紐固定部を設けてこの各紐固定部に前記靴紐の一端と他端を固定し、この各紐固定部に固定した靴紐の中間部側を支持してＵターンさせる第一紐支持部を、甲側開口部と上方側開口部の左右いずれか他側縁に設け、この各第一紐支持部に支持してＵターンさせた靴紐の中間部側を、前記各紐固定部と各第一紐支持部との間に存する靴紐の途中部とクロスしないように支持する第二紐支持部を、前記甲側開口部と前記上方側開口部の左右いずれか一側縁に設けて、この各第二紐支持部に支持した靴紐の中間部側を引動することで甲側開口部及び上方側開口部を緊締し得るように構成したことを特徴とする請求項１記載の靴。
【請求項３】
前記紐固定部と前記第一紐支持部とは、前記甲側開口部と前記上方側開口部の左右のいずれか一側縁と他側縁とに略水平対向状態にして設け、この甲側開口部と上方側開口部の左右いずれか一側縁の、前記各紐固定部より上方位置若しくは下方位置に前記第二紐支持部を設けて、各第一紐支持部７に支持してＵターンさせた前記靴紐の中間部側が、前記各紐固定部と各第一紐支持部との間に存する靴紐の途中部とクロスしないように第二紐支持部に支持される構成としたことを特徴とする請求項２記載の靴。
【請求項４】
前記第一紐支持部と前記第二紐支持部は、滑車を採用したことを特徴とする請求項２，３のいずれか１項に記載の靴。
【請求項５】
前記第一紐支持部に支持してＵターンさせた前記靴紐の中間部側を支持してＵターンさせる前記第二紐支持部を、前記甲側開口部と前記上方側開口部の左右いずれか一側縁に設け、この各第二紐支持部に支持してＵターンさせた靴紐の中間部側を、前記各第一紐支持部と各第二紐支持部との間に存する靴紐の途中部とクロスしないように支持する第三紐支持部を、甲側開口部と上方側開口部の左右いずれか他側縁に設けて、この各第三紐支持部に支持した靴紐の中間部側を引動することで甲側開口部及び上方側開口部を緊締し得るように前記緊締手段を構成したことを特徴とする請求項２〜４のいずれか１項に記載の靴。
【請求項６】
前記前方開口部にタン部材を配設し、前記靴紐の中間部をこのタン部材の表側から裏側に通し、この裏側に通した靴紐の中間部を上方へと挿通案内する靴紐案内部を、前記タン部材の上方部に設け、この靴紐案内部を介して上方へと案内された靴紐の中間部に前記緊締保持手段を設けたことを特徴とする請求項１〜５のいずれか１項に記載の靴。
【請求項７】
前記緊締保持手段は、前記靴紐を挿通する挿通部を備えた紐止め本体に、この挿通部に挿通された靴紐に圧接する圧接・解除可能な圧接体20を設けた紐止め具を採用して構成したことを特徴とする請求項１〜６のいずれか１項に記載の靴。
【手続補正３】
【補正対象書類名】図面
【補正対象項目名】図７
【補正方法】削除
【補正の内容】